(57)【特許請求の範囲】
【請求項１】
取扱店控とお客様控がお客様控切り離し予定部で連接され、速達、通常何れかの取扱種別を選択して使用することが可能な配送用シールであって、
前記配送用シールは、剥離基材と剥離基材の剥離処理面に粘着剤層を介して貼り合わされたシール基材からなり、かつ、前記シール基材は、粘着剤層側から中間基材、接着剤層、紙基材からなる積層体をなし、
前記取扱店控には、配送物貼付シール部が長方形状の貼付シール周縁切込みによって形成され、前記配送物貼付シール部は、通常扱指定片、中央紙片、速達扱指定片が配送物貼付シール部の短辺に平行な二本の種別指定片切込みを介して連接して形成され、
前記速達扱指定片及び通常扱指定片となる紙基材の裏側には剥離剤層が形成され、
前記貼付シール周縁切込みは、シール基材と粘着剤層を貫通する状態で、前記種別指定片切込みは、紙基材と前記剥離剤層を貫通する状態で形成され、
配送物貼付シール部の両短辺の切込みを挟んだ速達扱指定片と配送物貼付シール部の外側取扱店控部、および、通常扱指定片と配送物貼付シール部の外側取扱店控部の少なくとも何れかの紙基材の表出面に速達、通常の取扱種別文字が印刷され、さらに前記それぞれの種別指定片切込みを跨ぐように配送物情報表示文字及び当該配送物情報表示文字を囲むマークガイドが印刷されていることを特徴とする配送用シール。
【請求項２】
請求項１に記載の配送用シールの使用方法であって、
速達、通常何れかの取扱種別を選択し、マークガイドに沿ってマークを記載し、配送物貼付シール部を取扱店控から粘着剤層で剥ぎ取り、配送物貼付シール部の速達扱指定片および通常扱指定片の内、前記マークが記載されていない指定片を紙機材の裏側に形成されている剥離剤層で剥ぎ取り、選択した取扱種別の紙片と中央紙片が表出するように粘着剤面で配送物に貼付し、取扱店控とお客様控を切り離し、お客様控を客に渡し、取扱店控を店に残すこと
を特徴とする配送用シールの使用方法。
【請求項３】
剥離基材と剥離基材の剥離処理面に粘着剤層を介して貼り合わされたシール基材からなり、かつ、前記シール基材は、前記粘着剤層側から中間基材、接着剤層、紙基材からなる積層体からなり、前記紙基材表出面に表示された取扱種別表示及び配送情報を選択することによって速達、通常何れにも使用することが可能な配送用シールであって、
前記配送用シールには配送物に貼付される矩形状の貼付シール部がシール基材を貫通する貼付シール部周縁切込みによって形成され、前記貼付シール部には紙基材を貫通し主シール部とその両脇の副シール部に分断する二本の副シール部境界切込みが貼付シール部周縁切込みの短辺に平行に形成され、
副シール部の紙基材の裏側には剥離剤層が形成され、
主シール部に機械読み取り可能な管理コードが、貼付シール部の外側の配送用シールの所定部には管理コードに紐付けされた問合せ情報が、両副シール部及び貼付シール部周縁切込みの短辺外側の何れか又は両方に取扱種別表示が、さらに、前記それぞれの短辺を跨ぐように配送情報及び当該配送情報を囲むマークガイドが、いずれも紙基材表出面に印刷され、
貼付シール部が剥がされた配送用シールは客控となること
を特徴とする配送用シール。
【請求項４】
請求項３に記載の配送用シールの使用方法であって、
取扱種別に対応した配送情報を選択し、マークガイドに沿ってマークを付し、貼付シール部を貼付シール部周縁切込みに沿って配送用シールから剥がし取り、前記マークが付されていない側の副シール部を副シール部境界切込み部分で剥がして除去し、貼付シール部を粘着剤面で配送物に貼付し、貼付シール部が剥がされた配送用シールを客控として客に渡すこと
を特徴とする配送用シールの使用方法。
【請求項５】
請求項４に記載の配送用シールの使用方法において、
さらに、客から配送物の配送状況を問われたときに、客が提示した問合せ情報によって管理コードを検索し、配送担当が配送物を投函する直前に貼付シール部の管理コードを携帯端末によって読み取り登録した管理コードが存在すれば、問合せがあった配送物は配送済みとすること
を特徴とする配送用シールの使用方法。
【請求項６】
剥離基材と、前記剥離基材上に再貼付可能な粘着剤により積層されたシール層とを備える識別シールであって、
前記シール層は、
前記粘着剤側から中間基材、接着剤層、上基材が積層され、
貼付シール部と、前記貼付シール部の周辺の周辺シール部とに、分離線によって分断されており、
前記貼付シール部は、
主シール部と、
前記上基材に設けられた第１切込み線を介して前記主シール部の周囲に連設され、前記上基材により形成され、前記上基材の裏面に設けられ前記接着剤層との間に積層された第１剥離剤層を有し、第１識別情報を有する第１識別部と、
前記上基材に設けられた第２切込み線を介して前記主シール部の周囲に連設され、前記上基材により形成され、前記上基材の裏面に設けられ前記接着剤層との間に積層された第２剥離剤層を有し、第２識別情報を有する第２識別部とを備え、
前記第１識別部及び前記第２識別部のうち一方を剥離することにより、前記第１識別部及び前記第２識別部のうち他方が、前記貼付シール部が被着体に再貼付された状態で、前記貼付シール部に残存すること、
を特徴とする識別シール。
【請求項７】
請求項６に記載の識別シールにおいて、
前記第１識別部及び前記第１識別部外側の前記周辺シール部に前記分離線を跨いで連続して設けられた第１マークガイドと、
前記第２識別部及び前記第２識別部外側の前記周辺シール部に前記分離線を跨いで連続して設けられた第２マークガイドとを備え、
前記周辺シール部は、
前記第１識別部外側に設けられ、前記第１識別情報に対応した情報である第１周辺情報と、
前記第２識別部外側に設けられ、前記第２識別情報に対応した情報である第２周辺情報とを備えること、
を特徴とする識別シール。
【請求項８】
請求項７に記載の識別シールにおいて、
前記第１マークガイドは、複数の種類が設けられ、
前記第２マークガイドは、複数の種類が設けられていること、
を特徴とする識別シール。
【請求項９】
請求項６から請求項８までのいずれかに記載の識別シールにおいて、
前記主シール部、前記周辺シール部にそれぞれ設けられた管理情報を備えること、
を特徴とする識別シール。
【請求項１０】
請求項６から請求項９までのいずれかに記載の識別シールにおいて、
前記識別シールは、配送用シールであり、
前記貼付シール部は、配送物である被着体に再貼付され、
前記周辺シール部は、配送元の控えであること、
を特徴とする識別シール。
【請求項１１】
請求項６から請求項８までのいずれかに記載の識別シールにおいて、
前記貼付シール部、前記周辺シール部にそれぞれ設けられた管理情報を備え、
前記識別シールは、配送用シールであり、
前記貼付シール部は、配送物である被着体に再貼付され、
前記周辺シール部の前記管理情報が設けられた部分は、
分離線により前記周辺シール部から分離可能であり、
発送元の控え片に再貼付可能であること、
を特徴とする識別シール。
【請求項１２】
請求項６から請求項９までのいずれかに記載の識別シールにおいて、
前記識別シールから分離可能に設けられた分離片を備えること、
を特徴とする識別シール。
【請求項１３】
請求項１２に記載の識別シールにおいて、
前記主シール部、前記周辺シール部、前記分離片にそれぞれ設けられた管理情報を備えること、
を特徴とする識別シール。
【請求項１４】
請求項１２又は請求項１３に記載の識別シールにおいて、
前記識別シールは、配送用シールであり、
前記貼付シール部は、配送物である被着体に再貼付され、
前記周辺シール部、前記分離片は、配送元の控えであること、
を特徴とする識別シール。
【請求項１５】
請求項６から請求項１１までのいずれかに記載の識別シールの使用方法であって、
前記剥離基材及び前記周辺シール部から、前記貼付シール部を剥離する工程と、
剥離した前記貼付シール部の前記第１識別部及び前記第２識別部のうち一方を、剥離する工程と、
前記貼付シール部を、被着体に再貼付する工程とを備えること、
を特徴とする配送用シールの使用方法。
【請求項１６】
請求項１２から請求項１４までのいずれかに記載の識別シールの使用方法であって、
前記分離片を分離する工程と、
前記剥離基材及び前記周辺シール部から、前記貼付シール部を剥離する工程と、
剥離した前記貼付シール部の前記第１識別部及び前記第２識別部のうち一方を、剥離する工程と、
前記貼付シール部を、被着体に再貼付する工程とを備えること、
を特徴とする配送用シールの使用方法。
【発明の詳細な説明】
【技術分野】
【０００１】
本発明は、配送用シール、配送用シールの使用方法、識別シール、識別シールの使用方法に関するものである。
【背景技術】
【０００２】
近年、被着体である冊子状の印刷物その他の軽量物を対象とする「メール便」と呼ばれる宅配サービスが多く利用されている。
この「メール便」は、配送業者が送り主から配送物を預かり、集荷した配送物を配達地域別に仕分けして発送し、受取人の郵便受け等に配送物を投函して配送を完了するもので、配送物が投函可能な大きさのものに制限されている。
このサービスでは、従来から実施されている宅配便と異なり、配送物を受取人に渡す際に受領印や、サインを貰う、いわゆる判取りは行わない。
【０００３】
通常の宅配システムでは、伝票に記載された番号で配送物の配送状況を管理しているが、「メール便」でも、管理番号のみが表示されたラベルを配送伝票とともに配送物に貼付し、配送状況の管理に使用している。
そこで、配送物に届け先（受取人）の住所のみを記載し、併せて機械読取り用のコードだけが印刷されたラベルを貼付する配送システムが提供されている。
このシステムにおいて、受取人の確認は前述の機械読取り用のコードを携帯端末で読取ることによって、コードに紐つけされた受取人名を携帯端末の表示部に表示させて確認するというものである（例えば、特許文献１参照）。
【先行技術文献】
【特許文献】
【０００４】
【特許文献１】特開２００１−２７２９１４号公報
【発明の概要】
【発明が解決しようとする課題】
【０００５】
また、近年では、通常条件で送付される通常メール便のほかに、速達扱いの速達メール便等、複数の種別が出現している。
そこで本発明は、１つのシールであっても複数の種別に対応して使用することができる配送用シール、配送用シールの使用方法、識別シール、識別シールの使用方法を提供することを目的とするものである。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
・第１の発明は、取扱店控とお客様控がお客様控切り離し予定部で連接され、速達、通常何れかの取扱種別を選択して使用することが可能な配送用シールであって、前記配送用シールは、剥離基材と剥離基材の剥離処理面に粘着剤層を介して貼り合わされたシール基材からなり、かつ、前記シール基材は、粘着剤層側から中間基材、接着剤層、紙基材からなる積層体をなし、前記取扱店控には、配送物貼付シール部が長方形状の貼付シール周縁切込みによって形成され、前記配送物貼付シール部は、通常扱指定片、中央紙片、速達扱指定片が配送物貼付シール部の短辺に平行な二本の種別指定片切込みを介して連接して形成され、前記速達扱指定片及び通常扱指定片となる紙基材の裏側には剥離剤層が形成され、前記貼付シール周縁切込みは、シール基材と粘着剤層を貫通する状態で、前記種別指定片切込みは、紙基材と前記剥離剤層を貫通する状態で形成され、配送物貼付シール部の両短辺の切込みを挟んだ速達扱指定片と配送物貼付シール部の外側取扱店控部、および、通常扱指定片と配送物貼付シール部の外側取扱店控部の少なくとも何れかの紙基材の表出面に速達、通常の取扱種別文字が印刷され、さらに前記それぞれの種別指定片切込みを跨ぐように配送物情報表示文字及び当該配送物情報表示文字を囲むマークガイドが印刷されていることを特徴とする配送用シールである。
・第２の発明は、第１の発明の配送用シールの使用方法であって、速達、通常何れかの取扱種別を選択し、マークガイドに沿ってマークを記載し、配送物貼付シール部を取扱店控から粘着剤層で剥ぎ取り、配送物貼付シール部の速達扱指定片および通常扱指定片の内、前記マークが記載されていない指定片を紙機材の裏側に形成されている剥離剤層で剥ぎ取り、選択した取扱種別の紙片と中央紙片が表出するように粘着剤面で配送物に貼付し、取扱店控とお客様控を切り離し、お客様控を客に渡し、取扱店控を店に残すことを特徴とする配送用シールの使用方法である。
【０００８】
・第３の発明は、剥離基材と剥離基材の剥離処理面に粘着剤層を介して貼り合わされたシール基材からなり、かつ、前記シール基材は、前記粘着剤層側から中間基材、接着剤層、紙基材からなる積層体からなり、前記紙基材表出面に表示された取扱種別表示及び配送情報を選択することによって速達、通常何れにも使用することが可能な配送用シールであって、前記配送用シールには配送物に貼付される矩形状の貼付シール部がシール基材を貫通する貼付シール部周縁切込みによって形成され、前記貼付シール部には紙基材を貫通し主シール部とその両脇の副シール部に分断する二本の副シール部境界切込みが貼付シール部周縁切込みの短辺に平行に形成され、副シール部の紙基材の裏側には剥離剤層が形成され、主シール部に機械読み取り可能な管理コードが、貼付シール部の外側の配送用シールの所定部には管理コードに紐付けされた問合せ情報が、両副シール部及び貼付シール部周縁切込みの短辺外側の何れか又は両方に取扱種別表示が、さらに、前記それぞれの短辺を跨ぐように配送情報及び当該配送情報を囲むマークガイドが、いずれも紙基材表出面に印刷され、貼付シール部が剥がされた配送用シールは客控となることを特徴とする配送用シールである。
・第４の発明は、第３の発明の配送用シールの使用方法であって、取扱種別に対応した配送情報を選択し、マークガイドに沿ってマークを付し、貼付シール部を貼付シール部周縁切込みに沿って配送用シールから剥がし取り、前記マークが付されていない側の副シール部を副シール部境界切込み部分で剥がして除去し、貼付シール部を粘着剤面で配送物に貼付し、貼付シール部が剥がされた配送用シールを客控として客に渡すことを特徴とする配送用シールの使用方法である。
・第５の発明は、第４の発明の配送用シールの使用方法において、さらに、客から配送物の配送状況を問われたときに、客が提示した問合せ情報によって管理コードを検索し、配送担当が配送物を投函する直前に貼付シール部の管理コードを携帯端末によって読み取り登録した管理コードが存在すれば、問合せがあった配送物は配送済みとすることを特徴とする配送用シールの使用方法である。
【０００９】
・第６の発明は、剥離基材（２，２０２）と、前記剥離基材上に再貼付可能な粘着剤（２ａ）により積層されたシール層（３，３０３）とを備える識別シールであって、前記シール層は、前記粘着剤層側から中間基材（３ｂ，２０３ｂ）、接着剤層（３ｃ，２０３ｃ）、上基材（３ｄ，２０３ｄ）が積層され、貼付シール部（２０，２２０）と、前記貼付シール部の周辺の周辺シール部（１０，２１０）とに、分離線（１１，２１１）によって分断されており、前記貼付シール部は、主シール部（３０，２３０）と、前記上基材に設けられた第１切込み線（４１，２４１）を介して前記主シール部の周囲に連設され、前記上基材により形成され、前記上基材の裏面に設けられ前記接着剤層との間に積層された第１剥離剤層（４５，２４５）を有し、第１識別情報（４２，２４２）を有する第１識別部（４０，２４０）と、前記上基材に設けられた第２切込み線（５１，２５１）を介して前記主シール部の周囲に連設され、前記上基材により形成され、前記上基材の裏面に設けられ前記接着剤層との間に積層された第２剥離剤層（５５，２５５）を有し、第２識別情報（５２，２５２）を有する第２識別部（５０，２５０）とを備え、前記第１識別部及び前記第２識別部のうち一方を剥離することにより、前記第１識別部及び前記第２識別部のうち他方が、前記貼付シール部が被着体（７０，２７０）に再貼付された状態で、前記貼付シール部に残存すること、を特徴とする識別シールである。
・第７の発明は、第６の発明の識別シールにおいて、前記第１識別部（４０，２４０）及び前記第１識別部外側の前記周辺シール部（１０，２１０）に前記分離線（１１，２１１）を跨いで連続して設けられた第１マークガイド（４３，２４３）と、前記第２識別部（５０，２５０）及び前記第２識別部外側の前記周辺シール部に前記分離線を跨いで連続して設けられた第２マークガイド（５３，２５３）とを備え、前記周辺シール部は、前記第１識別部外側に設けられ、前記第１識別情報（４２，２４２）に対応した情報である第１周辺情報（４４，２４４）と、前記第２識別部外側に設けられ、前記第２識別情報（５２，２５２）に対応した情報である第２周辺情報（５４，２５４）とを備えること、を特徴とする識別シールである。
・第８の発明は、第７の発明の識別シールにおいて、前記第１マークガイド（４３，２４３）は、複数の種類が設けられ、前記第２マークガイド（５３，２５３）は、複数の種類が設けられていること、を特徴とする識別シールである。
・第９の発明は、第６から第８までのいずれかの発明の識別シールにおいて、前記主シール部（３０，２３０）、前記周辺シール部（１０，２１０）にそれぞれ設けられた管理情報（６１，６２，６３，２６１，２６２，２６３）を備えること、を特徴とする識別シールである。
・第１０の発明は、第６から第９までのいずれかの発明の識別シールにおいて、前記識別シールは、配送用シールであり、前記貼付シール部（２０，２２０）は、配送物である被着体に再貼付され、前記周辺シール部（１０，２１０）は、配送元の控えであること、を特徴とする識別シールである。
・第１１の発明は、第６から第８までのいずれかの発明の識別シールにおいて、前記貼付シール部（２２０）、前記周辺シール部（２１０）にそれぞれ設けられた管理情報（２６１，２６２，２６３）を備え、前記識別シールは、配送用シールであり、前記貼付シール部（２２０）は、配送物である被着体に再貼付され、前記周辺シール部の前記管理情報（２６２）が設けられた部分（２６２ａ）は、分離線（２６２ｂ）により前記周辺シール部から分離可能であり、発送元の控え片に再貼付可能であること、を特徴とする識別シールである。
【００１０】
・第１２の発明は、第６から第９までのいずれかの発明の識別シールにおいて、前記識別シール（１）から分離可能に設けられた分離片（５）を備えること、を特徴とする識別シールである。
・第１３の発明は、第１２の発明の識別シールにおいて、前記主シール部（２０）、前記周辺シール部（１０）、前記分離片（５）にそれぞれ設けられた管理情報（６１，６２，６３）を備えること、を特徴とする識別シールである。
・第１４の発明は、第１２又は第１３の発明の識別シールにおいて、前記識別シール（１）は、配送用シールであり、前記貼付シール（２０）部は、配送物である被着体（７０）に再貼付され、前記周辺シール部（１０）、前記分離片（５）は、配送元の控えであること、を特徴とする識別シールである。
【００１１】
・第１５の発明は、第６から第１１までのいずれかの発明の識別シールの使用方法であって、前記剥離基材（２，２０２）及び前記周辺シール部（１０，２１０）から、前記貼付シール部（２０，２２０）を剥離する工程と、剥離した前記貼付シール部の前記第１識別部（４０，２４０）及び前記第２識別部（５０，２５０）のうち一方を、剥離する工程と、前記貼付シール部を、被着体（７０，２７０）に再貼付する工程とを備えること、を特徴とする配送用シールの使用方法である。
【００１２】
・第１６の発明は、第１２から第１４までのいずれかの発明の識別シールの使用方法であって、前記分離片（５）を分離する工程と、前記剥離基材（２）及び前記周辺シール部（１０）から、前記貼付シール部（２０）を剥離する工程と、剥離した前記貼付シール部の前記第１識別部（４０）及び前記第２識別部（５０）のうち一方を、剥離する工程と、前記貼付シール部を、被着体（７０）に再貼付する工程とを備えること、を特徴とする配送用シールの使用方法である。
【図面の簡単な説明】
【００１３】
【図１】第１実施形態の配送用シールの一実施形態について説明するための図である。
【図２】図１の配送用シールのＡ−Ａ線断面について説明するための図である。
【図３】第１実施形態の速達メール便に使用される取扱店控、お客様控の一例について説明するための図である。
【図４】第１実施形態の速達メール便の使用方法について説明するための図である。
【図５】第１実施形態の配送物に速達メール便扱いの配送物貼付シール部が貼付されたメール便の使用方法について説明するための図である。
【図６】第２実施形態の配送用シールの一実施形態について説明するための図である。
【図７】図１のＡ−Ａ線断面について説明するための図である。
【図８】第２実施形態の配送用シールの使用方法の一例について説明するための図である。
【図９】第２実施形態の貼付シール部が貼付された配送物について説明するための図である。
【発明を実施するための形態】
【００１４】
以下、図面等を参照して、本発明の実施形態について説明する。
（第１実施形態）
図１及び図２を参照して、本発明の配送用シールの第１実施形態について説明する。
図１は、第１実施形態の配送用シールの一実施形態について説明するための図である。
図２は、図１の配送用シールの層構成について説明するための断面図である。
図２ａは、各部材が接着した状態であり、図２ｂは、各部材を剥離した状態である。
図１に示すように、本実施形態の配送用シール１（識別シール）は、取扱店控１０と客控５がお客様控切り離し予定部６で連接され、速達、通常何れかの取扱種別を選択して使用することが可能な配送用シールである。
【００１５】
配送用シール１は、図２に示すように、剥離基材２と剥離基材２の剥離処理面２ａに、シール層３が積層された積層体である。
シール層３は、剥離処理面２ａ側から粘着剤層３ａ、中間基材３ｂ、接着剤層３ｃ、紙基材３ｄ（上基材）が積層されている。シール層３は、粘着剤層３ａによって、剥離処理面２ａに接着されている。シール層３は、再貼付可能な種類である。
【００１６】
配送用シール１は、客控５（分離片）、取扱店控１０（周辺シール部）、配送物貼付シール部２０を備える。
客控５、取扱店控１０は、切り離し予定部６で連接されている。
取扱店控１０、配送物貼付シール部２０は、シール層３の全ての層を貫通する長方形状の閉じた切込み１１（分離線）によって分離されている。配送物貼付シール部２０は、剥離基材２及び取扱店控１０から分離して剥離できる。
配送物貼付シール部２０は、中央紙片３０（主シール部）、速達扱指定片４０（第１識別部）、通常扱指定片５０（第２識別部）を備える。
中央紙片３０は、配送物貼付シール部２０の中央に配置されている。
速達扱指定片４０及び通常扱指定片５０は、配送物貼付シール部２０の両脇に配置されており、配送物貼付シール部２０の短辺に平行な二本の指定片切込み４１，５１を介して、配送物貼付シール部２０に連接して形成されている。
【００１７】
前述の速達扱指定片４０及び通常扱指定片５０の紙基材３ｄの裏側には、図２に示すように、速達扱指定片４０及び通常扱指定片５０の輪郭より大きめに剥離剤層４５，５５が形成されている。
剥離剤層４５，５５は、紙基材３ｄと接着剤層３ｃの間に形成され、指定片切込み４１，５１は、紙基材３ｄと剥離剤層４５，５５を貫通する状態で形成されていることによって、速達扱指定片４０及び通常扱指定片５０の紙基材部分を接着剤層３ｃから剥すことができるようになっている。
また、前述の切込み１１は、シール層３を貫通する状態で形成され、配送物貼付シール部２０を剥離基材２の剥離処理面２ａから引き剥がすことができるようになっている。
【００１８】
前述の切込み１１の左右辺を挟んだ速達扱指定片４０と配送物貼付シール部２０の外側取扱店控、および、通常扱指定片５０と配送物貼付シール部２０の外側取扱店控の少なくとも何れかの紙基材３ｄの表出面に「速達」、「通常」の取扱種別文字４２，４３，５２，５３が印刷され、さらにそれぞれの指定片切込み４１，５１を跨ぐように、「Ａ４  １ｃｍ」、「Ａ４  ２ｃｍ」などの配送物情報表示文字（図示せず）及び当該配送物情報表示文字を囲むマークガイド４４，５４が印刷されている。
【００１９】
すなわち、配送用シール１の構成は、以下の通りである。
剥離基材２及びシール層３は、切込み１１によって、貼付シール部２０（シール部）と、貼付シール部２０の取扱店控１０とに分断されている。
図１に示すように、切込み１１の平面形状（配送用シール１の表面を法線方向から見た場合の形状）は、ほぼ矩形である。
図２に示すように、切込み１１の断面形状は、剥離基材２の上部まで達している。これは、切込み１１を粘着剤層３ａを完全に貫通させて、貼付シール部２０を剥離しやすくするためである。
【００２０】
貼付シール部２０は、中央紙片３０（主シール部）、速達扱指定片４０（第１識別部）、通常扱指定片５０（第２識別部）を備える。
速達扱指定片４０は、中央紙片３０の右側辺（周辺の一部）に、指定片切込み４１（第１切込み線）を介して連設されている。
速達扱指定片４０は、紙基材３ｄと、紙基材３ｄの裏面に設けられた剥離剤層４５（第１剥離剤層）とにより形成されている（図２ｂ参照）。
【００２１】
剥離剤層４５は、速達扱指定片４０の接着剤層３ｃからの剥離性を向上するための層である。剥離剤層４５は、速達扱指定片４０の外形よりも１回り大きく形成されており、一部が中央紙片３０及び取扱店控１０の領域にまで達している。
なお、指定片切込み４１の断面形状は、紙基材３ｄ、剥離剤層４５及び接着剤層３ｃを貫通し、中間基材３ｂの上部まで達している。これは、速達扱指定片４０を剥離しやすくするためである。
速達扱指定片４０は、剥離剤層４５の部分で、接着剤層３ｃから剥離する。
【００２２】
「速達」の取扱種別文字４２（第１識別情報）は、速達扱指定片４０に印刷されている。
一方、「速達」の取扱種別文字４３（第１周辺識別情報）は、取扱店控１０のうち速達扱指定片４０の外側の領域に印刷されている。このように、取扱種別文字４２，４３は、互いに対応する情報を示す。
マークガイド４４（第１マークガイド）は、速達扱指定片４０及び速達扱指定片４０の外側の取扱店控１０に、切込み１１を跨いで連続して設けられている。マークガイド４４は、「Ａ４  １ｃｍ」、「Ａ４  ２ｃｍ」の２種類が設けられている。
【００２３】
通常扱指定片５０（第２識別部）は、速達扱指定片４０とは左右対称の形状であり、中央紙片３０の左側辺（周辺の一部）に指定片切込み４１（第２切込み線）を介して連設されている。
「通常」の取扱種別文字５２（第２識別情報）は、通常扱指定片５０に印刷されている。
一方、「通常」の取扱種別文字５３（第２周辺識別情報）は、取扱店控１０のうち通常扱指定片５０の外側の領域に印刷されている。このように、取扱種別文字５２，５３は、互いに対応する情報を示す。
マークガイド５４（第２マークガイド）は、通常扱指定片５０及び通常扱指定片５０の外側の取扱店控１０に、切込み１１を跨いで連続して設けられている。マークガイド５４は、「１ｃｍ  Ａ４」、「２ｃｍ  Ａ４」の２種類が設けられている。
【００２４】
客控５、取扱店控１０、配送物貼付シール部２０の中央紙片３０は、同一の番号（管理情報）が付された、お問合せ番号６１、管理コード６２、管理コード６３を備える。
取扱店控１０のお問合せ番号６１、客控５の管理コード６２には、番号のみが印刷されている。
中央紙片３０には、番号に加えて、その番号を示すバーコードが付されている。バーコードは、取扱店が配送物の荷受のためポスレジスターで読み込んだり、配送担当者が配送管理のため携帯端末で読み込むために利用されたりする。
【００２５】
図３及び図１、図２を参照して、第１実施形態の速達メール便に使用される取扱店控１０の一例について説明する。
配送用シール１は、前述のように粘着剤層３ａを介して剥離基材２とシール層３が貼り合わされた多層構造になっている。
お客様控切り離し予定部６は切り易いように、例えば、ミシン目状の切込みによって形成されている。
取扱店控１０には、シール層３を貫通する長方形状の切込み１１によって、配送物貼付シール部２０が形成され、配送物貼付シール部２０は、配送物貼付シール部２０の短辺に平行な二本の指定片切込み４１，５１によって、図の左から通常扱指定片５０、中央紙片３０、速達扱指定片４０に分断されている。
【００２６】
前述の通常扱指定片５０及び速達扱指定片４０と、短辺の切込みの外側取扱店控部１０（取扱店控部とは、取扱店控１０の配送物貼付シール部２０の周辺部をいう。）には、切込み１１の短辺の両側に「通常」、「速達」の取扱種別文字４２，４３，５２，５３が印刷されている。
「通常」、「速達」の取扱種別文字４２，５２を、通常扱指定片５０及び速達扱指定片４０の内側だけに印刷表示してもよい。
また、「Ａ４  １ｃｍ」、「Ａ４  ２ｃｍ」などの配送物の大きさ、厚さを示す配送物情報表示文字４４ｂ，４５ｂがそれを囲むマークガイド４４，５４とともに、切込み１１の短辺を跨ぐように印刷されている。
【００２７】
（使用方法）
図３から図５を参照して、第１実施形態の配送用シールの使用方法の一例について説明する。
図３に示すように、配送物の配送依頼を受けた取扱店では、依頼主に通常、速達何れの扱いで配送するか選択してもらう。
ここでは、配送物７０を「速達」で送付し、かつ、配送物７０のサイズが「Ａ４」である例を説明する。
取扱店の担当（作業者）は、「速達」に対応したマークガイド４４，５４に沿ってマーク４４ａを記載する。
取扱店の担当は、配送物貼付シール部２０を取扱店控１０から剥ぎ取って配送物７０に貼付し、お客様控切り離し予定部６で客控５を切り離して分離し、依頼主に渡す。
依頼主は、配送物の配送状況を確認したいときに、客控５に印刷されたお問合せ番号６１を取扱店側に伝え、配送物の所在を確認する。
そのために、お問合せ番号６１は、取扱店控１０に印刷された管理コード６２及び配送物貼付シール部２０の中央紙片３０に印刷されている光学読取用の管理コード６３と同一でなければならない。
【００２８】
図４ａに示すように、取扱店の担当は、取扱店控１０から配送物貼付シール部２０を剥がす。この場合、速達扱指定片４０には、マーク４４ａの半分が存在するので、担当は、これを目印に剥がさない方の片を確認でき、誤作業を抑制できる。
なお、配送用シール１は、粘着剤層３ａの接着強度が接着剤層３ｃの接着強度よりも弱くなるように、各部材の材質、材料が選択してある。このため、配送物貼付シール部２０を剥がす場合に、通常扱指定片５０をつまんで剥がしたとしても、通常扱指定片５０が単独で剥がれることはない。
【００２９】
図４ｂに示すように、取扱店の担当は、速達扱指定片４０及び通常扱指定片５０のうち配送物貼付シール部２０から通常扱指定片５０を引き剥がす。
通常扱指定片５０及び剥離層５５が引き剥がされた配送物貼付シール部２０には、中央紙片３０とその右側の速達扱指定片４０が残され、速達扱指定片４０のマークガイド４４とマークの半分が表示された状態になる。
【００３０】
以上の作業により、配送物貼付シール部２０を配送物７０に再貼付した状態では（図５参照）、速達扱指定片４０及び通常扱指定片５０のうち速達扱指定片４０のみが配送物貼付シール部２０に残存することになる。この速達扱指定片４０の「速達」の取扱種別文字４２によって、配送物７０は、速達扱いであることを示すことができる。
【００３１】
このように、配送用シール１は、「通常」、「速達」を選択して、配送物７０の識別に利用できる。これにより、「通常」、「速達」用それぞれにシールを用意する必要がなく、シールの在庫管理が容易である。また、「通常」、「速達」用にそれぞれバーコードを発行する必要がないので、バーコードの番号を破棄することがなく、バーコードを有効利用できる。さらに、取扱店の担当は、配送物７０の「通常」、「速達」に応じて速達扱指定片４０及び通常扱指定片５０の一方を剥がせばよいので、作業が簡単である。
【００３２】
図４ａに示すように、マーク４４ａが記載された取扱店控１０は、剥離基材２の剥離処理面２ａが表出した状態で取扱店に残される。
取扱店控１０には、マーク４４ａの半分が存在するので、取扱店は、マーク４４ａを確認すれば、配送物７０を配達担当者に受け渡した後でも、配送種別が「速達」で配送されたことを確認できる。また、２種類のマークガイド４４（「Ａ４  １ｃｍ」、「Ａ４  ２ｃｍ」）のうち「Ａ４  １ｃｍ」が選択されているので、取扱店は、配送種別をより詳細に分類して確認できる。
取扱店では、ファイル孔１０ａでファイルし、前述のお客の問合せに備える。
【００３３】
図５を参照して、第１実施形態の配送物に速達メール便扱いの配送物貼付シール部が貼付された状態の一例について説明する。
配送物７には、配送物の受取人の住所氏名と、依頼主の住所、氏名などが記載された配送伝票７１と配送物貼付シール部２０が、取扱店の担当によって貼付される。
なお、これら住所、氏名などを配送物７０に直接記載する場合には、配送伝票７１は、不要である。
また、配送伝票７１と配送物貼付シール部２０は互いに重ならないように配送物７に貼付される。
配送物取扱店の担当は、中央紙片３０には管理コード６３を、配送物取扱店のポスレジスター等に入力する。これにより、管理番号と、配送物取扱店を識別する店番号等とが関連付けられることになる。
配送物７は、取扱店から配達担当者が受け取ると、速達扱指定片４０が貼付され、マークガイド４４のマーク４４ａが速達扱いとされるため、速達便集積場に送られる。
【００３４】
配送担当は、配送物７を配送伝票７１に記載された受取人に届ける。
メール便システムでは受取人から受領印を貰わないため、受取人のポストに投函する前に、配送物に貼付された配送物貼付シール部２０の光学読取用の管理コード６３を専用端末で読取り、配達が完了したことを専用端末に記憶させる。
光学読取用の管理コード６３はＯＣＲコードでも、二次元コードでも、バーコードでもよい。
【００３５】
専用端末に記憶させた管理番号は、お客からの問合せに使用されるため、問合せ先センターや取扱店に送信される。
なお、２種類の配送種別のいずれが選択されても、配送物貼付シール部２０の中央紙片３０は、配送物７０に貼付された状態では、同一の管理コード６３が表出する。このため、配送物貼付シール部２０と、取扱店控１０及び客控５とは、同一の番号で関連付けることができ、従来と同様なトレーサビリティ（追跡可能性）等を有する。
【００３６】
また、上記例とは異なり、取扱店控１０の紙片をお客様控えにして、かつ、分離片の紙片を取扱店控にしてもよい。これらの紙片は、配送担当者には回収されず、配送元（つまり、取扱店及び依頼主）に残る。このため、これらの紙片を、取扱店及び依頼主のどちらの控えにするかは、使用態様に応じて適宜設定できるからである。
【００３７】
図２を参照して、本実施形態の配送用シールに使用される材料と、配送用シールの作製方法について説明する。
「剥離処理面２ａが形成された剥離基材２＋粘着剤層３ａ＋中間基材３ｂ」には、市販の粘着紙を使用する。
紙基材３ｄの表面に「取扱店控」、「お客様控」、「取扱種別文字」、「配送物情報表示文字」、「マークガイド」などをオフセットなどの印刷インキによって印刷し、裏側
に、剥離剤層４５，５５をワックス系インキ、シリコンインキなどで印刷する。
前述の粘着紙の中間基材３ｂの表出面、または、前述の紙基材３ｄの裏面（剥離剤層４５，５５形成面）にエマルジョン型のビニル系接着剤、または、澱粉系の接着剤を塗布し、粘着紙と紙基材３ｄを貼り合わせ、乾燥させた後、同一ラインで切込み１１、指定片切込み４１，５１を形成する。
巻き取り状態から、シートカットして、多面付け状態の配送用シールを作製し、プリンタで管理コード６３を（図３に示す、管理コード６２、お問合せ番号６１も同時に）印字し、切り離して１枚の配送用シールを作製する。
【００３８】
本発明のように、取扱店控とお客様控がお客様控切り離し予定部で連接され、速達、通常何れかの取扱種別を選択して使用することが可能な配送用シールであって、配送用シールは、剥離基材と剥離基材の剥離処理面に粘着剤層を介して貼り合わされたシール基材からなり、かつ、シール基材は、粘着剤層側から中間基材、接着剤層、紙基材からなる積層体をなし、取扱店控には、配送物貼付シール部が長方形状の貼付シール周縁切込みによって形成され、配送物貼付シール部は、通常扱指定片、中央紙片、速達扱指定片が配送物貼付シール部の短辺に平行な二本の種別指定片切込みを介して連接して形成され、速達扱指定片及び通常扱指定片となる紙基材の裏側には剥離剤層が形成され、貼付シール周縁切込みは、シール基材と粘着剤層を貫通する状態で、種別指定片切込みは、紙基材と剥離剤層を貫通する状態で形成され、配送物貼付シール部の両短辺の切込みを挟んだ速達扱指定片と配送物貼付シール部の外側取扱店控部、および、通常扱指定片と配送物貼付シール部の外側取扱店控部の少なくとも何れかの紙基材の表出面に速達、通常の取扱種別文字が印刷され、さらにそれぞれの種別指定片切込みを跨ぐように配送物情報表示文字及び当該配送物情報表示文字を囲むマークガイドが印刷されていることによって、従来宅配などで使用されるメール便で、配送のためのシールを通常メール便用と、速達メール便用とを別々に用意し使い分けする必要があったものを、一つの配送用シールにまとめることができ、取り違えて使用されることもなくなった。また、在庫管理も容易になり、結果として配送のためのコストダウンを計ることができる。
また、速達、通常何れかの取扱種別を選択し、マークガイドに沿ってマークを記載し、配送物貼付シール部を取扱店控から粘着剤層で剥ぎ取り、配送物貼付シール部の速達扱指定片および通常扱指定片の内、マークが記載されていない指定片を紙機材の裏側に形成されている剥離剤層で剥ぎ取り、選択した取扱種別の紙片と中央紙片が表出するように粘着剤面で配送物に貼付し、取扱店控とお客様控を切り離し、お客様控を客に渡し、取扱店控を店に残すことによって、配送物には選択された取扱種別だけが表示されるために、配達員は間違って料金を収集することもなく、また、高能率に作業を行なうことができる。
【００３９】
（第２実施形態）
次に、本発明の第２実施形態について説明する。
なお、以下の説明及び図面において、前述した第１実施形態と同様の機能を果たす部分には、末尾（下２桁）に同一の符号を付して、重複する説明を適宜省略する。
本実施形態で説明するメール便では手紙、はがき、請求書、納品書等の信書、運賃の範囲内で賠償できないもの、有価証券類、カード類、その他の配送物に損害を及ぼす毒物、動植物等は取扱の対照とされていない。
【００４０】
図６、図７を参照して、本発明の配送用シールの一実施形態について説明する。
第２実施形態の配送用シール２０１は、主に以下の点を、第１実施形態から変更した。
・客控２１０として、第１実施形態の取扱店控１０（図１参照）を用いた。このため、客控５（図１参照）を削除して、配送用シール２０１の全体の形状を小型にし、コストダウンした。また、配送用シール２０１では、取扱店控は、設けられていない。
・お客様問合せ番号２６２として、管理コード６２（図１参照）を用いた。また、お客様問合せ番号２６２が印刷された部分である問合せ情報片２６２ａは、分離線２６２ｂにより、分離可能にした。
【００４１】
以下、詳細に説明する。
図７に示すように、配送用シール２０１は、剥離基材２０２と剥離基材２０２の剥離処理面２０２ａ（図７の断面では、剥離処理面２０２ａは剥離処理層として表示している）に、シール層２０３が積層された積層体である。
シール層２０３は、剥離処理面２０２ａ側から粘着剤層２０３ａ、中間基材２０３ｂ、接着剤層２０３ｃ、紙基材２０３ｄが積層されている。シール層２０３は、粘着剤層２０３ａによって、剥離処理面２０２ａに接着されている。シール層２０３は、再貼付可能な種類である。
【００４２】
また、配送用シール２０１には配送物に貼付される矩形状の貼付シール部２２０がシール層２０３を貫通する貼付シール部周縁切込み２１１によって形成されている。
また、貼付シール部２２０には紙基材２０３ｄを貫通し主シール部２３０とその両脇の副シール部２４０，２５０に分断する二本の副シール部境界切込み（副シール部境界切込みは、主シール部と副シール部に分断する切込みを意味する）２４１，２５１が貼付シール部周縁切込み２１１の短辺に平行に形成されている。
【００４３】
シール層２０３の紙基材２０３ｄと中間基材２０３ｂは接着剤層２０３ｃによって貼り合わされ一体化されている。紙基材２０３ｄと中間基材２０３ｂが貼り合わされる前に、紙基材２０３ｄの副シール部２４０，２５０の裏側に副シール部をシール層２０３から剥がし取るための剥離剤層２４５，２５５が印刷によって部分的に形成されている。
【００４４】
貼付シール部周縁切込み２１１は、シール層２０３を貫通する状態で形成されるが、粘着剤層２０３ａが極めて薄いために、貼付シール部周縁切込み２１１の抜き刃は、粘着剤層２０３ａを貫通し、剥離基材２０２の一部にまで到達している場合が多い。
同様、副シール部境界切込み２４１，２５１は、紙基材２０３ｄを貫通する状態で形成されるが、剥離剤層２４５，２５５、接着剤層２０３ｃが極めて薄いために、副シール部境界切込み２４１，２５１の抜き刃は、中間基材２０３ｂの一部にまで到達している場合が多い。
【００４５】
図６に示すように、貼付シール部２２０の主シール部２３０には、バーコードのような機械読み取り可能な管理コード２６３が印刷され、貼付シール部２２０の外側の配送用シール２０１の所定部（貼付シール部２２０の真上）には管理コード２６３に紐付けされたお問合せ番号２６２が目視可能な状態で印刷されている。
お問合せ番号２６２は、数字、すなわち「番号」でも、記号入りアルファベット、記号入り数字、仮名入り数字、何れでもよい。
お問合せ番号２６２は、問合せ情報片２６２ａに印刷されている。
問合せ情報片２６２ａは、切り込み線である分離線２６２ｂによって客控２１０と分離している。このため、問合せ情報片２６２ａは、客控２１０から分離して、剥離基材２０２から剥離できる。
以下、本実施形態の説明ではお問合せ番号２６２は、数字だけで構成された例で説明する。
【００４６】
また、副シール部２４０，２５０の一方の紙基材２０３ｄの表出面には、取扱種別表示２５２である「通常」の文字が、残るもう一方の副シール部２４０，２５０の紙基材２０３ｄの表出面には取扱種別表示２４２である「速達」の文字が印刷されている。
また、配送用シール２０１の左側の紙基材２０３ｄの表出面の貼付シール部周縁切込み２１１の短辺外側には取扱種別表示２５３の「通常サービス」が、右側の紙基材２０３ｄの表出面の貼付シール部周縁切込み２１１の短辺外側には取扱種別表示２４３の「速達サービス」の文字が印刷されている。
さらに、貼付シール部周縁切込み２１１の短辺を跨ぐように配送情報２４４ｂ及び配送情報２４４ｂを囲むマークガイド２４４，２５４が紙基材２０３ｄの表出面に印刷されている。
【００４７】
本実施形態では取扱種別表示２４２，２４３，２５２，２５３，は、貼付シール部２２０の副シール部２４０，２５０に「通常」、「速達」の表示が、貼付シール部２２０の外側の客控２１０となる両サイドに「通常サービス」、「速達サービス」の表示が印刷によって表示された例で説明するが、前述の表示方法ではなく印刷色、イラスト、文字＋印刷色＋イラスト、その他の識別可能な手段で表示することもできる（以下の本実施形態の説明では取扱種別表示は文字で表示する例で説明する）。
また、副シール部２４０，２５０への表示は、取扱種別表示２４２，２５２がなされていなくても配達員が承知していればよいことで「通常」、「速達」の表示を省略することもできる。
【００４８】
次に、配送情報２４４ｂについて説明する。図６に示す取扱種別「速達サービス」の配送情報「Ａ４  ２３０」、「Ｂ４  ３５０」は、配送物の大きさがＡ４（Ｂ４）サイズで、配送料金が２３０円（３５０円）であるということである。配送物の厚さ（１ｃｍ、２ｃｍ）を併記して表示する場合もある。
取扱店の担当は、配送依頼人の要求に基づいて、配送情報２４４ｂを選択し、貼付シール部周縁切込み２１１の短辺を跨ぐようにマークガイド２４４に沿ってマーク２４４ａを付ける。
【００４９】
図７、図８を参照して、配送用シールの使用方法について説明する。
最初に、配送物取扱店の担当（作業者）は、配送物２７０が信書ではないという署名を、依頼者に対して依頼する。依頼者は、了解すると、署名シート（図示しない）に署名する。
署名シートは、複写片になっており、署名の店舗控、署名の客控を備える。複数の配送物２７０を同時に依頼する場合でも、署名シートは、１枚でよい。
配送物取扱店の担当（作業者）は、図６に示す配送用シール２０１から、貼付シール部周縁切込み２１１に沿って貼付シール部２２０を引き剥がす。
剥がされた貼付シール部２２０は、図７のシール層２０３で構成されている。
したがって、客控２１０となる配送用シール２０１は貼付シール部２２０に剥離基材２０２の剥離処理面２０２ａが露出した状態になっている。
貼付シール部２２０が剥離された配送用シール２０１は、客控２１０として使用され、配送を依頼した客に渡される。同時に、署名シートの客控（図示せず）も、客に渡される。
【００５０】
なお、複数の配送物２７０を同時に依頼した場合には、複数の客控２１０が客に渡され、客控２１０の管理が煩雑になる可能性がある。この場合には、客は、複数の客控２１０から各問合せ情報片２６２ａを剥離して、署名シートの客控（控え片）等に貼付すれば、客控２１０を破棄等しても、問合せ番号２６２を確認できる。これにより、客は、署名シートの客控等のみを管理すればよいので、管理が容易になる。
客控２１０には、お問合せ番号２６２が印刷され、取扱種別表示２４３「速達サービス」と印刷された側の配送情報「２３０」に付されたマーク２４４ａの半分が残されている。
上記マーク２４４ａによって、この客控２１０は、速達で取り扱われた配送物２７０の配送控であることが判る。
【００５１】
一方、配送用シール２０１から引き剥がされた貼付シール部２２０は図８ｂに示す状態になっており、配送物取扱店の担当は、マーク２４４ａが付されていない側の副シール部２５０を副シール部境界切込み２５１に沿って剥がし取る。
副シール部２５０の紙基材２０３ｄは、図７に示す剥離剤層２５５と接着剤層２０３ｃの間で剥がされる。
図７で判るように紙基材２０３ｄと中間基材２０３ｂは剥離剤層２５５を介して接着剤層２０３ｃで擬似接着状態になっているために、剥がし取られた副シール部２５０の裏側には接着剤が残らず剥離剤層２５５が表出している。したがって、剥がし取られた副シール部２５０は、裏側に粘着剤が表出しているわけでもなく通常の紙と同様の扱いとすることができる。
【００５２】
図９は、図８ｂの貼付シール部２２０が配送物２７０に貼付された状態を示している。
配送物取扱店の担当は、貼付シール部２２０が配送物２７０に貼付すると、主シール部２３０の管理コード２６３を、配送物取扱店のポスレジスター等の読み取り装置で読み取り、番号を入力する。
なお、配送物取扱店は、この入力番号によって、配送物２７０の各情報（配送物２７０の荷受の確認、配送状況等）を確認できる。このため、配送用シール２０１が配送物取扱店の控えを備えない形態でも、配送物取扱店は、配送物２７０の各情報を確認できる。
住所等の届け先情報が配送伝票７１に記載された配送物２７０は、貼付シール部２２０の副シール部２４０に付されたマーク２４４ａによって、「速達」で取り扱われた配送物であることが判る。
取扱種別表示２５２が「通常」と表示された副シール部２５０が除去されているために、貼付シール部２２０が配送物２７０に貼付される状態では、必要とされる取扱種別表示２４２「速達」の表示だけが残されるため配送担当が取り扱いを間違えることがない。
【００５３】
配送担当は、配送物２７０を届け先のポストに投函する直前に貼付シール部２２０の管理コード２６３を携帯端末によって読み取り、無線、または、有線によって配送物２７０の管理コード２６３を配送済みと登録する。
携帯端末に記憶させた管理番号は、お客からの問合せに使用されるため、問合せ先センターや取扱店に送信される。
【００５４】
配送物取扱店の担当は、図８ａに示す客控２１０を所持する客から配送物２７０の配送状況を問われたときに、客が電話で伝えてきた、または、取扱店に提示した問合せ番号「１１２３−４５６７−８９０１」で、問合せ番号に紐付けされた管理コードを検索し、管理コードが存在すれば問合せがあった配送物２７０は配送済みとする。
【００５５】
図７を参照して、本実施形態の配送用シールの作製方法と使用される積層体の材料について説明する。
「剥離基材２０２＋剥離処理面（剥離処理層）２０２ａ＋粘着剤層２０３ａ＋中間基材２０３ｂ」が順次積層された市販の粘着紙（タック紙）の中間基材２０３ｂの表出面全面に接着剤層２０３ｃを形成し、剥離剤層２４５，２５５が形成された紙基材２０３ｄを前述のタック紙と貼り合わせる。紙基材２０３ｄの表出面の印刷は、剥離剤層２４５，２５５を形成する際にインラインで行なう。
接着剤層２０３ｃにはエマルジョン型のビニル系接着剤や澱粉系の接着剤を使用し、剥離剤層２４５，２５５の剥離剤には紫外線硬化型オフセットインキにワックス、シリコンなどを添加した剥離用インキを使用する。また、紙基材２０３ｄの表出面の印刷には、市販のオフセットインキを使用し、図示しないが「問合せ番号」や、「管理コード」はノンインパクトプリンタ（例えば、インクジェットプリンタ）によって印刷する。
紙基材２０３ｄには、上質紙、中質紙、コート紙などから適宜選択して使用する。
貼付シール部周縁切込み２１１、副シール部境界切込み２４１，２５１は、シリンダ型、平圧型押し切り刃により形成する。
【００５６】
以上説明したように、本実施形態の配送用シールは、剥離基材と剥離基材の剥離処理面に粘着剤層を介して貼り合わされたシール基材からなり、かつ、前記シール基材は、前記粘着剤層側から中間基材、接着剤層、紙基材からなる積層体からなり、前記紙基材表出面に表示された取扱種別表示及び配送情報を選択することによって速達、通常何れにも使用することが可能な配送用シールであって、前記配送用シールには配送物に貼付される矩形状の貼付シール部がシール基材を貫通する貼付シール部周縁切込みによって形成され、前記貼付シール部には紙基材を貫通し主シール部とその両脇の副シール部に分断する二本の副シール部境界切込みが貼付シール部周縁切込みの短辺に平行に形成され、副シール部の紙基材の裏側には剥離剤層が形成され、主シール部に機械読み取り可能な管理コードが、貼付シール部の外側の配送用シールの所定部には管理コードに紐付けされた問合せ情報が、両副シール部及び貼付シール部周縁切込みの短辺外側の何れか又は両方に取扱種別表示が、さらに、前記それぞれの短辺を跨ぐように配送情報及び当該配送情報を囲むマークガイドが、いずれも紙基材表出面に印刷され、貼付シール部が剥がされた配送用シールは客控となることによって、従来宅配などで使用されるメール便で、配送のためのシールを通常メール便用と、速達メール便用とを別々に用意し使い分けする必要があったものを、一つの配送用シールにまとめることができ、取り違えて使用されることがなくなる。また、在庫管理も容易になり、結果としてコストダウンを計ることができる。
【００５７】
また、本発明の配送用シールの使用方法のように、取扱種別に対応した配送情報を選択し、マークガイドに沿ってマークを付し、貼付シール部を貼付シール部周縁切込みに沿って配送用シールから剥がし取り、前記マークが付されていない側の副シール部を副シール部境界切込み部分で剥がして除去し、貼付シール部を粘着剤面で配送物に貼付し、貼付シール部が剥がされた配送用シールを客控として客に渡し、さらに、客から配送物の配送状況を問われたときに、客が提示した問合せ情報によって管理コードを検索し、配送担当が配送物を投函する直前に貼付シール部の管理コードを携帯端末によって読み取り登録した管理コードが存在すれば、問合せがあった配送物は配送済みとすることによって、配送物には選択された取扱種別だけが表示されるために、配達員は間違って料金を収集することもない。
また、問合せ情報と管理コードが紐付けされているために配送物配送直後に管理コードを登録することによって配送物の配送状況を掌握することができる。
【００５８】
なお、各問合せ情報片２６２ａを剥離して、署名シートの控え片等に貼付する構成は、第１実施形態に適用してもよい。この場合には、取扱店が、署名シートの取扱店控え片等に貼付することにより、複数の配送物を容易に管理できる。
【００５９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６０】
（変形形態）
（１）本実施形態において、配送種別は、通常、速達である例を示したが、これに限定されない。例えば、チルド等の識別等に利用してもよい。また、２つに限定されず、３つ以上の種別を識別してもよい。この場合には、例えば第２実施形態では、主シール部の両脇に加え、上下にも副シール部の構成を設ければよい。
【００６１】
（２）本実施形態において、識別シールは、配送物の種別の識別のために用いる例を示したが、これに限定されない。識別シールは、他の被着体の識別に用いてもよい。例えば、病院等において、複数の看者（被着体）の容態を識別したり、工場等において、複数の製品（被着体）の品質を識別するために用いてもよい。
【符号の説明】
【００６２】
（１）
１  配送用シール
２  剥離基材
３  シール層
２ａ  剥離処理面
３ａ  粘着剤層
３ｂ  中間基材
３ｃ  接着剤層
３ｄ  紙基材
５  客控
１０  取扱店控
１１  切込み
２０  配送物貼付シール部
３０  中央紙片
４０  速達扱指定片
４１，５１  指定片切込み
４２，４３，５２，５３  取扱種別文字
４４，５４  マークガイド
５０  通常扱指定片
６１  お問合せ番号
６２  管理コード
６３  管理コード
７０  配送物
【００６３】
（２）
２０１  配送用シール
２０２  剥離基材
３  シール層
２ａ  剥離処理面
２０３ａ  粘着剤層
２０３ｂ  中間基材
２０３ｃ  接着剤層
２０３ｄ  紙基材
２１０  客控
２１１  貼付シール部周縁切込み
２２０  貼付シール部
２３０  主シール部
２４０，２５０  副シール部
２４１，２５１  副シール部境界切込み
２４２，２４３，２５２，２５３  取扱種別表示
２４４，２５４  マークガイド
２６２  お客様問合せ番号
２６２ａ  問合せ情報片
２６２ｂ  分離線
２６３  管理コード
２７０  配送物
【図１】
0006048122.tif 000002
【図２】
0006048122.tif 000003
【図３】
0006048122.tif 000004
【図４】
0006048122.tif 000005
【図５】
0006048122.tif 000006
【図６】
0006048122.tif 000007
【図７】
0006048122.tif 000008
【図８】
0006048122.tif 000009
【図９】
0006048122.tif 000010